(57)【特許請求の範囲】
【請求項１】
情報記録媒体が搬送される搬送路と、
前記搬送路に沿って前記情報記録媒体を搬送する搬送部と、
前記搬送路に配置され、前記搬送部により搬送される前記情報記録媒体に記録された情報を読み取る読取部と、
前記搬送部により搬送される前記情報記録媒体がカードであるか否かを判定する媒体種類判定部と、
前記搬送部によって搬送された前記情報記録媒体を排出スタッカーに排出する排出口と、
前記排出口から前記排出スタッカーに排出された前記情報記録媒体を前記排出スタッカーの側面に押し付けて前記情報記録媒体の排出状態を整えるための押圧板と、
前記搬送部を制御する搬送制御部と
を備え、
前記排出口は、前記搬送部によって搬送される複数種類の前記情報記録媒体が排出される共通の排出口であり、
前記搬送部は、前記排出口に隣接して配置された排出手段を備え、
前記搬送制御部は、前記媒体種類判定部によって前記情報記録媒体がカードであると判定した場合に、前記排出手段によって搬送可能な位置で前記情報記録媒体の後端が停止した状態で、前記排出スタッカー内に保持されるように、前記搬送部を制御し、前記媒体種類判定部によって前記情報記録媒体がカードでないと判定した場合に、前記排出手段によって前記情報記録媒体を排出するように、前記搬送部を制御することを特徴とする情報読取装置。
【請求項２】
前記情報記録媒体が載置される第１給紙口と第２給紙口を備え、前記媒体種類判定部は、前記第２給紙口に前記情報記録媒体が載置された場合に、前記情報記録媒体がカードであると判定し、前記第１給紙口に前記情報記録媒体が載置された場合に、前記情報記録媒体がカードでないと判定することを特徴とする請求項１に記載の情報読取装置。
【請求項３】
前記第１給紙口に載置された前記情報記録媒体は、前記搬送部によって前記搬送路を所定方向に前記排出口に向けて搬送され、前記第２給紙口に載置された前記情報記録媒体は、前記搬送部によって前記搬送路を、一旦、前記所定方向と反対方向に搬送された後、前記排出口に向けて前記所定方向に搬送されることを特徴とする請求項２に記載の情報読取装置。
【請求項４】
前記排出手段は、前記搬送路を挟んで対向するローラー対を有し、
前記搬送制御部は、前記媒体種類判定部により前記情報記録媒体がカードであると判定した場合に、前記情報記録媒体が前記ローラー対に挟まれて停止するように前記排出手段を制御する挟持排出制御を行うことを特徴とする請求項２に記載の情報読取装置。
【請求項５】
前記第２給紙口に前記情報記録媒体が載置されたことを検知するカード検知部と、
前記挟持排出制御を行われた他の情報記録媒体が前記ローラー対に挟まれて停止していることを検知する排出検知部と
をさらに備え、
前記カード検知部により前記情報記録媒体が前記第２給紙口に載置されたことを検知したときに、前記排出検知部により前記他の情報記録媒体が前記ローラー対に挟まれて停止していることを検知すると、
前記搬送制御部が、前記排出手段から前記他の情報記録媒体を排出するように前記排出手段を制御することを特徴とする請求項４に記載の情報読取装置。
【請求項６】
前記第２給紙口に前記情報記録媒体が載置されたことを検知するカード検知部と、
前記挟持排出制御を行われた他の情報記録媒体が前記ローラー対に挟まれて停止していることを検知する排出検知部と、
報知を行う報知部と
をさらに備え、
前記カード検知部により前記情報記録媒体が前記第２給紙口に載置されたことを検知したときに、前記排出検知部により前記他の情報記録媒体が前記ローラー対に挟まれて停止していることを検知すると、前記報知部による報知を行うことを特徴とする請求項４に記載の情報読取装置。
【請求項７】
前記第２給紙口に前記情報記録媒体が載置されたことを検知するカード検知部をさらに備え、
前記搬送制御部が他の情報記録媒体について前記挟持排出制御を行った直後に、前記カード検知部により前記情報記録媒体が前記第２給紙口に載置されたことを検知すると、
前記搬送制御部が、前記排出手段から前記他の情報記録媒体を排出するように前記排出手段を制御することを特徴とする請求項４に記載の情報読取装置。
【発明の詳細な説明】
【技術分野】
【０００１】
本発明は、手形や小切手等の有価証券等の原稿の画像や、運転免許証などのＩＤカードの画像、手形や小切手等に印刷された磁気インク文字を読み取る小切手処理装置に関するものである。
【背景技術】
【０００２】
従来、銀行等の金融機関に持ち込まれた手形・小切手等（以下、小切手類と記す）は各銀行にて小切手類の両面の画像を撮影し、さらに印刷された磁気インク文字（ＭＩＣＲ文字）を読み取る装置を用いて自動的に分別集計され、手形交換所に持ち込まれている。近年、この手形交換所への持ち込み前の作業効率を向上させるために、小切手類に印刷された磁気インク文字の読み取りと、小切手の表面、裏面のイメージの読み取りを1回のスキャン動作で行うことが可能な小切手処理装置が実用化されている。この小切手処理装置の画像イメージ読取部分については、近年の情報のデジタル化の流れにより、ＣＣＤ（Ｃｈａｒｇｅ  Ｃｏｕｐｌｅｄ  Ｄｅｖｉｃｅ）やコンタクトイメージセンサ（ＣＩＳ）で読み取り、読み取った画像データをデジタル処理することにより、コンピュータで簡単に情報を管理運用できるようになっている。
【０００３】
小切手処理装置の排紙スタッカー（排紙トレイ）としては、シートＳとＩＤカードなど様々な媒体が排出されるスタッカーとなっているが、使用頻度の多いシートＳ(例えば手形、小切手等)に適した構成となっている。例えば排紙スタッカー側面の高さにおいては、シートＳの高さに合わせることで排紙整列性を向上させている。この場合、ＩＤカードが排紙スタッカー上に排出されると、排紙スタッカーの側面にＩＤカードが張り付いた状態となりやすく、ユーザーがＩＤカードを目視確認しづらくなると同時に、排紙スタッカーからＩＤカードを取り出しにくい。
【０００４】
また、特許文献１の構成では、ストレートパスの搬送路を使用した画像読取装置においてカード専用の読取装置を追加で設置することなく、小サイズで厚手のカードを含む多様な原稿の読み取りを可能とし、容易にかつ置き忘れることなくカードを取り除くことができる画像読取装置について記載されている。
【先行技術文献】
【特許文献】
【０００５】
【特許文献１】特開２０１５−１６４２９２
【発明の概要】
【発明が解決しようとする課題】
【０００６】
カード等の情報記録媒体をスキャンする搬送路として、設置スペースを狭小にするために媒体を直立させて（縦置き）搬送する形態とした場合、その中でも特に、カードや小切手等の複数種類の媒体を同じ排出口から排出する形態とした場合、排出口から排出された後の排出トレイなどの構造や排出口が配置される場所によっては、小切手等に比べて、媒体を立てて搬送する際の高さが低いカードにとっては取り出しにくい排出口となっていることが多かった。
【０００７】
本発明はこのような事情を鑑み、複数種類の媒体に共通した排出口であっても、搬送が終わったカード等を取り出しやすい情報読取装置を提供するものである。
【課題を解決するための手段】
【０００８】
本発明の情報読取装置は、
情報記録媒体が搬送される搬送路と、
前記搬送路に沿って前記情報記録媒体を搬送する搬送部と、
前記搬送路に配置され、前記搬送部により搬送される前記情報記録媒体に記録された情報を読み取る読取部と、
前記搬送部により搬送される前記情報記録媒体がカードであるか否かを判定する媒体種類判定部と、
前記搬送部によって搬送された前記情報記録媒体を排出スタッカーに排出する排出口と、
前記排出口から前記排出スタッカーに排出された前記情報記録媒体を前記排出スタッカーの側面に押し付けて前記情報記録媒体の排出状態を整えるための押圧板と、
前記搬送部を制御する搬送制御部と
を備え、
前記排出口は、前記搬送部によって搬送される複数種類の前記情報記録媒体が排出される共通の排出口であり、
前記搬送部は、前記排出口に隣接して配置された排出手段を備え、
前記搬送制御部は、前記媒体種類判定部によって前記情報記録媒体がカードであると判定した場合に、前記排出手段によって搬送可能な位置で前記情報記録媒体の後端が停止した状態で、前記排出スタッカー内に保持されるように、前記搬送部を制御し、前記媒体種類判定部によって前記情報記録媒体がカードでないと判定した場合に、前記排出手段によって前記情報記録媒体を排出するように、前記搬送部を制御することを特徴とする。
【発明の効果】
【０００９】
本発明によれば、カードが排出口から排出される際に、搬送されたカードの取り出しやすさと視認性を向上することができる。
【図面の簡単な説明】
【００１０】
【図１】本発明の一実施形態に係る小切手処理装置の全体構成の概略図。
【図２】本発明の一実施形態に係る小切手処理装置の排紙部の拡大図。
【図３】本発明の一実施形態に係る小切手処理装置の斜視図。
【図４】通常カード搬送における手順を示したフローチャート。
【図５】排紙スタッカーにカードが設置された状態で２枚目のカードを搬送した際の手順を示したフローチャート
【図６】排紙スタッカーにカードが設置された状態で２枚目のカードを搬送した際のエラー告知の手順を示したフローチャート
【発明を実施するための形態】
【００１１】
（第一実施形態）
図１は本発明の一実施形態に係る小切手処理装置１００を上方から見た場合の概略図である。図１に示す小切手処理装置１００の概略図を用いて小切手類の搬送の流れを簡単に記す。
【００１２】
小切手などのシート状の原稿は、印刷面が給紙ローラー４に接触するように立てた状態で装置前面側のホッパー２に載置される。ホッパー２に載置された小切手類は、押圧板３によって給紙ローラー４に押し付けられ、押し付けられた小切手が給紙ローラー４で搬送路７に給紙され、送りローラー５によって搬送される。これら給紙ローラー４や送りローラー５などの搬送制御は、小切手処理装置１００内に配置された制御基板上の搬送制御部によって行われる。本実施形態においては、不図示のＣＰＵがその機能を有している。
【００１３】
途中、永久磁石８によって磁化された小切手類は搬送ローラー対９によって磁気ヘッド１２の位置まで搬送され、磁気インク文字を読み取られる。さらに搬送ローラー対１３及び１４によって搬送された小切手類は、ＣＣＤまたはコンタクトイメージセンサから成る画像読取センサー対３０によって画像イメージを読み取られた後、排紙ローラー対１７により装置前面側の排紙スタッカー２１に排出される。ここまでの、小切手類が搬送される搬送路７の形状はＵ字型となっている。
【００１４】
排紙スタッカー２１には、搬送されたシートＳが排紙された順に従って排出され、排紙されたシートの積載量に応じて揺動可能なシート押さえ部２０によって押さえつけられながら排出することで、排紙スタッカー２１上で整列している。排紙スタッカー２１上に排紙されたシートＳの集まりを、シート押さえ部２０が押さえて整えることで、排紙スタッカー２１内でシートＳが散らかってしまうことを未然に防ぎ、排紙スタッカー２１からシートＳを取り出しやすい構成としている。
【００１５】
さらに小切手処理装置１００は小切手類の読み取りに加え、顧客情報の確認のために顧客の運転免許証等のＩＤカードに代表されるカードの画像イメージの読み取りを行なう。
【００１６】
顧客は小切手処理装置１００を操作するオペレーターにカードを手渡し、オペレーターはカードを小切手処理装置１００のカード挿入口２３に挿入する。カード挿入口２３に挿入されたカードは、搬送路２６を搬送された後、小切手類の搬送に使用している搬送路７に合流し、排紙ローラー対１７によって画像読取センサー対３０に向かう方向に搬送され、カード待避口２８に到達した後、搬送ローラー対１４によって再度画像読取センサー対３０に向かう方向に搬送され、画像読取センサー対３０によって画像イメージを読み取られる。その後、排紙ローラー対１７によって搬送され、排紙スタッカー２１に排出される。
【００１７】
以下、本発明に係る小切手処理装置の好適な実施形態について図を参照してより詳細に説明する。
【００１８】
図１は、本実施形態が適用された小切手処理装置１００を示す。この小切手処理装置１００は、銀行などの金融機関に顧客が持ち込こんだ手形・小切手などの両面の画像イメージと磁気インク印刷文字の両方を一回の搬送で読み取ることができる。画像イメージの読み取りを行う画像読取センサー対３０にはＣＣＤやコンタクトイメージセンサなどが使用され、読み取った画像情報をデジタル信号データに変換することにより、コンピュータで簡単に情報を管理運用できるようになっている。
【００１９】
搬送ローラー群を駆動する不図示の搬送モーター、給紙部のローラー群を駆動する不図示の給紙モーターを有し、これらの部品を含め装置全体を制御し、ホストコンピュータなどの上位装置との間で通信を行うコントローラーユニット４０を備えている。
【００２０】
装置の手前側には電源ボタン、小切手の処理を開始するスタートボタン等のオペレーターが操作する操作パネル６０が設けられている。小切手処理装置１００は手形あるいは小切手であるシートＳに印刷されたＭＩＣＲ文字、および両面の画像イメージを読み取るため、ここではシートＳをＭＩＣＲ文字の文字列方向に搬送して読み取りを行ない、インターフェースケーブルで接続された不図示の上位装置に読み取ったＭＩＣＲ文字データおよび両面の画像データを送信する。
【００２１】
また、装置前面には顧客のＩＤカードに代表されるカードＣの画像を読み取るための、カード挿入口２３が設けられている。カード挿入口２３から挿入されたカードＣはシートＳと共通の搬送路７に送られた後、シートＳの画像を読み取る画像読取センサー対３０を使って画像イメージが読み取られる。
【００２２】
以下、具体的に小切手処理装置について説明する。トレイ１は小切手処理装置１００の前面に回動可能に支持され、小切手処理装置１００の非使用時には本体前面に収納され装置前面を覆うカバーとなり、小切手処理装置１００の使用時には回動して装置前面に展開され、小切手処理装置１００に設けられたホッパー２に積載される手形・小切手の後端と、画像イメージと磁気インク印刷文字の読取を終えて排紙スタッカー２１に排紙された手形・小切手の先端を保持するようになっている。
【００２３】
ホッパー２にシートＳが積載されると、ホッパー２に装着されている積載検知センサー２ａによってシートＳが認識される。この状態で、オペレーターが操作パネル６０上のスタートボタンを押すと、前述したホストコンピュータなどの上位装置からコントローラーユニット４０に読取開始信号が送信され、不図示の給紙モーターにより給紙押圧部材３が駆動されシートＳを給紙ローラー４に押し付け、給紙ローラー４が回転しシートＳを送りローラー５に給紙する。
【００２４】
給紙されたシートＳは、送りローラー５で装置内の搬送路７へ搬送される。このとき、給紙ローラー４で給紙されたシートＳが複数枚の場合、送りローラー５に対向して配置された分離ローラー６によって１枚だけに分離して搬送される。送りローラー５と分離ローラー６はそれぞれくし歯構造になっており、送りローラー５の凸部と分離ローラー６の凹部とが、また、送りローラー５の凹部と分離ローラー６の凸部とが、それぞれ噛み合うように配置される。
【００２５】
送りローラー５と分離ローラー６の軸間は軸間調整機構５０によって調整可能である。オペレーターが調整ダイヤル５５を回転させると軸間調整機構５０を介し、送りローラー５と分離ローラー６の外周面の隙間が小切手の分離に最適な隙間となるよう調整される。
【００２６】
搬送路７へ搬送されたシートＳは、搬送路７に配置された永久磁石８によってシートＳに印刷されたＭＩＣＲ文字の磁化方向が整列され、搬送ローラー対９によってさらに装置内部へと搬送される。搬送ローラー対９と搬送ローラー対１３の間には、ＭＩＣＲ文字の読取タイミングをとるシート検知センサー１０、重送検知センサー１１、磁気ヘッド１２、磁気ヘッド１２の対向側には、シートＳを磁気ヘッド１２に押圧する対向ローラー１２ａが配置されている。
【００２７】
装置の小型化を図るため、小切手の下側に印刷されたＭＩＣＲ文字を読み取る磁気ヘッド１２が搬送路下端側に、シートＳの重送を検知する重送検知センサー１１がその上側に配置される。分離ローラー６によって１枚に分離されずに複数枚の小切手が搬送路７に送り出された場合、重送検知センサー１１によって重送が検知される。
【００２８】
重送が検知されると後続の小切手の給紙並びに、重送が検知された小切手の搬送が停止される。ここで、重送した小切手より前に他の小切手が搬送路７内にある場合は、小切手の給紙のみを停止し、重送した小切手より前の小切手が排紙ローラー対１７によって排紙スタッカー２１に排紙された後に重送した小切手の搬送を停止する。
【００２９】
重送検知センサー１１で重送検知を行うと同時にシートＳは対向ローラー１２ａによってＭＩＣＲ文字が印刷された部分が磁気ヘッド１２に密着されるように押しつけられ、ＭＩＣＲ文字が読み取られる。
【００３０】
ＭＩＣＲ文字が磁気ヘッド１２で読み取られたシートＳは搬送ローラー対１３によってエンドーサー１５に搬送される。エンドーサー１５は搬送されたシートＳの裏面に不図示の上位装置との通信により指示された小切手を処理した日付や金融機関の名称等の文字列を印刷する。エンドーサー１５を通過したシートＳは搬送ローラー対１４により搬送され、レジストセンサー１６で画像読み取りのタイミングを取ったのち、シートＳの両面の画像を読み取る画像読取センサー対３０に搬送され、シートＳの両面の画像が読み取られる。
【００３１】
画像読取センサー対３０はそれぞれ、内部に発光素子であるＬＥＤと、集光レンズと、受光素子を有し、カラー・白黒の両方でシートＳの両面の画像イメージを読取可能である。
【００３２】
シートＳの画像を読み取った後に排紙ローラー対１７により排紙スタッカー２１に排紙される。排紙スタッカー２１には排紙されたシートＳが排紙された順に従い排紙スタッカー２１上に整列させるための排紙ガイド１９と、排紙されたシートの積載量に応じて揺動可能なシート押さえ２０が設けられている。排紙されたシートＳは排紙ガイド１９によって搬送方向が変更され、整列面２１ａに向かって排出される。排出されたシートＳはシート押さえ２０によって整列面２１ａに押し付けられながら整列面２１ａに沿って進み、シートストッパー２２で先端が規制される。
【００３３】
続けて排紙されるシートも同様に順次排紙されたシートに重なりながら排紙され、シートストッパー２２で先端が揃えられて整列していく。
【００３４】
排紙スタッカー２１上には排出検知センサー７０が配置され、排紙スタッカー２１上に配置された媒体の排紙状況を検出することが可能となっている。そして、ホッパー２に積載されたシートＳがすべて給紙されると、小切手処理装置１００は動作を停止する。
【００３５】
装置前面に設けられたカード挿入口２３にＩＤカードに代表されるカードＣを挿入するとカード検知センサー２４によってカードＣが検知され、不図示の搬送モーターが小切手搬送方向と逆方向に回転を開始する。すなわち、搬送対象がカードであることを、媒体がいずれの給紙口に配置されたかを検出することによって、間接的に媒体の種類を判定している。搬送モーターの逆転によりカード搬送ローラー２５がカード引き込み方向に回転しカードＣを装置内に設けられたカード搬送路２６に搬送する。
【００３６】
カード搬送路２６に進んだカードＣは、カード搬送路２６と搬送路７が合流する位置である搬送路合流口２７を通過し、排紙ローラー対１７に到達する。排紙ローラー対１７も搬送モーターの逆転によりカードＣを画像読取センサー対３０に向けて搬送する方向に回転しており、カードＣを搬送ローラー対１４に搬送する。搬送ローラー対１４も搬送モーターの逆転によりカードＣをカード待避口２８に搬送する方向に回転しており、搬送ローラー対１４に送られたカードＣは搬送ローラー対１４をそのまま直進し、その先に設けられたカード待避口２８に搬送される。
【００３７】
カードＣの後端がレジストセンサー１６を過ぎると、不図示の搬送モーターが回転を一旦停止し、小切手搬送方向に回転を開始する。小切手の画像イメージ読取と同様に、レジストセンサー１６で画像読み取りのタイミングを取ったのち、画像読取センサー対３０に搬送され、カードＣの両面の画像が読み取られる。
【００３８】
図２は、排紙スタッカー２１付近の拡大図である。画像が読み取られたカードＣは排紙ローラー対１７によって排紙スタッカー２１側に搬送され、図２で示すようにカードＣの後端を排紙ローラー対１７で挟んだ状態で停止し、カードＣの読取動作が終了する。
【００３９】
図２は、カードＣの後端を排紙ローラー対１７が挟んでいる状態を示しているが、カードＣ後端から離れた中程の位置で挟んでしまうとオペレーターが取りづらく、逆に後端を過ぎてしまうとシート押さえ２０が、排紙スタッカー２１の整列面２１ａにカードＣを抑えつけてしまうため、装置上方から見た際にカードを視認しづらく、そもそも取りづらくなってしまう。
【００４０】
そのためレジストセンサー１６が、カードＣの後端を検知してからタイミングをカウントして、排紙スタッカー２１の適切な位置でカードＣが停止するように、搬送制御を行っている。
【００４１】
図２ではカードＣがその後端部で排紙ローラー対１７に挟まれた状態で停止している状態を示しており、視認性がよくカードＣの両サイドに指が入る空間ができるため、排紙スタッカー２１からカードＣを取り出しやすい状況となることが分かる。
【００４２】
また、図３で示すように、小切手処理装置としては、排紙スタッカー２１は、小切手の整列性を考慮して、ある程度の高さとなっていることが好ましい。さらに、本実施形態のように小切手などのシートＳの排紙部とカードＣの排紙部とを共通化している場合には、カードＣが整列面２１ａよりも低くなるため、カードＣが非常に取り出しにくくなる。本発明はそのような小切手処理装置に対しては特に顕著な効果を発揮できる。
【００４３】
次に排紙ローラー対１７がカードＣ１を挟んだ状態で、次のカードＣ２がカード挿入口２３にセットされ、カード挿入口２３にセットされたＩＤカードの搬送指示がきた場合のシーケンスを備えるようにした他の実施形態について説明する。なお、基本的な構成は上記実施形態と同一であるため説明は割愛し、異なる部分のみ説明する。
【００４４】
搬送終了後に、排紙ローラー対１７カードＣ１が挟まれた状態において、他のカードＣ２をカード挿入口２３に挿入すると、カード検知センサー２４によってそれが検知される。
【００４５】
上記実施形態では、カードＣがカード挿入口２３にセットされカードＣの搬送がスタートした時は不図示の搬送モーターが小切手搬送方向と逆方向に回転を開始し、カードＣの搬送がスタートしていたが、カードＣ１が排紙ローラー対１７に噛まれた状態で不図示の搬送モーターの逆回転を開始してしまうと、カードＣ１が搬送路に戻る方向(図１におけるＢ方向)に排紙ローラー対が回転してしまい、カードＣ１がカード待避口２８に戻ってしまう。
【００４６】
そのため排紙ローラー対１７にカードＣ１が挟まれた状態のまま、カード挿入口２３にカードＣ２がセットされ、カード搬送スタート指示が出た場合、まず排紙スタッカー２１にカードＣ１を排出し、排出した後にカードＣ２のカード搬送を開始する。カードＣ２のカード搬送については上記実施形態において記載した搬送制御と同じである。
【００４７】
給紙媒体がカード挿入口２３に積載されるかホッパー２上に積載されるかによって排紙制御が異なる。すなわち、搬送される媒体が搬送前に設置される給紙口の位置によって、搬送される媒体の種類を判断し搬送制御を変更している。給紙開始から排紙スタッカー２１までの搬送動作について図４のフローチャートに沿って制御方法を説明する。
【００４８】
ステップＳ１００で搬送が開始されると、続くステップＳ１０１では、給紙位置としてカード挿入口２３から給紙がスタートしたか、またはホッパー２から給紙がスタートしたかを判断する。
【００４９】
積載検知センサー２ａで検知した場合はホッパー２上に搬送媒体が設置してあり、ホッパー２から搬送されたと判断する。カード検知センサー２４が検知した場合はカード挿入口２３上に搬送媒体が設置してあり、カード挿入口２３から搬送されたと判断する。
【００５０】
ホッパー２上に搬送媒体があったと判断した場合はステップＳ１１２に進み、通常の小切手として搬送され、ＭＩＣＲ文字情報が読み取られた後に画像イメージを読み取られ、排紙スタッカー２１上に排出される。
【００５１】
カード挿入口２３から給紙がスタートした場合、ステップＳ１０２に進む。不図示の搬送モーターが回転する方向は通常の小切手が搬送される際に回転する方向とは逆回転の方向となる。搬送モーターが逆回転することでカード搬送ローラー２５がカード引き込み方向に回転し、カードＣを装置内に設けられたカード搬送路２６内に搬送する。
【００５２】
カード搬送路２６を進んだカードＣは、カード搬送路２６と搬送路７が合流する位置である搬送路合流口２７を通過し、排紙ローラー対１７に到達する。排紙ローラー対１７に到達したカードＣは、搬送ローラー対１４をそのまま搬送路７に沿って搬送する。
【００５３】
その後、ステップＳ１０３にてカードＣの後端がレジストセンサー１６に到達したことを検出する。カードＣの後端がレジストセンサー１６を過ぎていない場合、不図示の搬送モーターを回転し続け、カードＣの搬送を継続する(Ｓ１０３  Ｎｏ→Ｓ１０２のループ)。
【００５４】
カードＣの後端がレジストセンサー１６を通り過ぎたことを検出した場合、ステップＳ１０４へと進み、カード搬送を一時停止して、その後ステップＳ１０５にて、カードＣをスイッチバックさせて搬送するように、不図示の搬送モーターを小切手を搬送させる方向と同一方向に回転させる。
【００５５】
不図示の搬送モーターを回転させたタイミングでステップＳ１０６へと進み、モーターパルスのカウントをスタートする。ステップＳ１０７でモーターパルスをカウントしていき、ステップＳ１０８である任意の閾値に達したかどうか判定し、任意の閾値に達してない場合、不図示の搬送モーターを回転し続けカードＣの搬送を継続させる。
【００５６】
カウンターのカウント値がある閾値に達するタイミングは、カードＣの後端が排紙ローラー対１７にかかる瞬間となるようになっており、カウント値が閾値（ｎ回）に到達するとステップＳ１０９に進み、そのタイミングで不図示の搬送モーターを停止することでカードＣの後端が排紙ローラー対１７によって噛まれた状態で停止させる（ステップＳ１１０）。
【００５７】
カードＣの後端が排紙ローラー対１７によって挟まれた状態で停止させることによって、図２で示したように排紙スタッカー２１上のカードＣの視認性を向上させ取り出しやすい位置で停止させることが可能となる。
【００５８】
搬送モーターの停止タイミングについてはモーターパルスのカウント値による位置制御に限らず、例えば時間など別のパラメータを使用して位置制御してもよい。
【００５９】
次に排紙ローラー対１７が、カードＣ１の後端部を噛んだ状態のまま回転停止している状態で、カード挿入口２３に設置されたカードＣ２の搬送を開始しようとした際の動作フローについて図５のフローチャートを使用して説明する。
【００６０】
ステップＳ２００にてカード搬送開始指示を受けると、ステップＳ２０１にて排紙ローラー対１７がカード後端を噛んだ状態のまま停止しているかどうかについて、排出検知センサー７０の情報をもとに判断する。排紙ローラー対１７がカードの後端を噛んでないと判断した場合、ステップＳ２０５に進み、図４のフローチャートを使用して説明した通常のカード搬送制御を行う。
【００６１】
ステップＳ２０１で、カードＣ２の搬送開始時に排紙ローラー対１７がカード後端を噛んだ状態のまま停止していると判断した場合、ステップＳ２０２に進み、不図示の搬送モーターを小切手搬送方向と同方向に回転させ、次いでステップＳ２０３の搬送モーターの回転を通じて、排紙ローラー対１７に噛まれて停止している状態のカードＣ１を排紙スタッカー２１上に排出する。
【００６２】
その後、ステップＳ２０４に進み、排出検知センサー７０の検出結果に基づいて排紙ローラー対１７に噛まれていないことを検知すると、カード挿入口２３に設置されたカードＣ２を、不図示の給紙モーターによってカード搬送路２６上に搬送する。その後は図４のフローチャートを使用して説明した通りの通常カード制御を行う。
【００６３】
ステップＳ２０１の分岐で排紙ローラー対がカードＣ１後端を噛んだ状態のままかどうかを判断し、その結果に基づいて排紙制御を変更しているが、カード搬送を行う際は常にステップＳ２０２から実行するように制御すれば、排出検知センサー７０が不要となりセンサー数を削減することも可能となる。
【００６４】
次にカードＣ２の搬送開始時に、排紙ローラー対１７がカードＣ１の後端を噛んだ状態のまま停止していると判断した場合、オペレーターに対してエラー告知を行う流れについて図６のフローチャートを使用して説明する。
【００６５】
ステップＳ３００でカード搬送が開始されると、ステップＳ３０１へと進み、排出検知センサー７０の検知結果から排紙ローラー対１７が、カードＣ１の後端を挟んだ状態で停止しているかどうかを判断する。
【００６６】
排出検知センサー７０の検知結果から、排紙ローラー対１７がカードＣ１の後端を挟んだ状態で停止していないと判断した場合、ステップＳ３０４へと進み、図４のフローチャートを使用して説明した通りの通常カード制御を行う。
【００６７】
排出検知センサー７０の検知結果から排紙ローラー対１７が、カードＣ１の後端を挟んでいると判断した場合、ステップＳ３０２に進み、オペレーターが確認できるアプリケーション上にエラーメッセージを表示する。オペレーターが確認できるアプリケーションとは、小切手処理装置がＰＣなどの外部機器に接続されていればその外部機器の表示画面上に表示されるものであればよいし、小切手処理装置自体が表示画面を有するものであれば、その表示画面上に表示されるもののことであり、小切手処理装置が組み込まれるシステムに応じて適切な場所で動作されるものであればよい。
【００６８】
ここで、エラーメッセージの報知の仕方については、オペレーターが操作する操作パネル６０上に配置したＬＥＤの点滅表示、アラーム音の発生、警告ランプの点灯などで注意喚起する方法でもよい。すなわち、必ずしも表示画面に表示しなくとも、小切手処理装置を利用するオペレーターが知覚できる態様であればよい。
【００６９】
ステップＳ３０３ではエラーメッセージを表示したまま、排紙ローラー対１７がカードＣ１の後端を噛んだ状態で停止している状態が解除されたかどうかを確認する。解除されない場合はエラーメッセージを表示し続け、カードＣ２の給紙動作は開始しない。
【００７０】
排紙ローラー対１７がカードＣ１の後端を噛んだ状態で停止している状態が解除されるとステップＳ３０４へ進み、図４のフローチャートを使用して説明した通りの通常カード搬送制御を行うと同時に、ステップＳ３０５へと進み、エラーメッセージの表示を解除する。但し、ステップＳ３０４とステップＳ３０５はどちらを先に実施してもよく、好ましくは、先にカードの搬送を開始してしまい、速やかに次のカードＣ２の搬送を開始するものである。
【００７１】
以上説明したように本発明は、小切手処理装置において、小切手等の比較的薄い原稿とカード等の比較的厚い原稿に対して給紙口を別々として設け、排紙口と一部の搬送路を共通化することで、小サイズで厚手の樹脂カード類の読取も可能とし、製品の小型化、コストダウン化に繋げることが可能となる。
【００７２】
手形や小切手等の有価証券等の原稿媒体と、運転免許証などの個人情報データを含んだＩＤカードの搬送路を一部共通化し、製品を小型化にするため排紙スタッカーを共通化した画像読取装置において、排紙スタッカーの側面より背の低いＩＤカード等のカード類が排紙された後、押圧版と、排紙スタッカーの側面との間にＩＤカード類が隠れてしまい、視認性が悪くなってしまうという問題や、排出されたカードが、押圧版と排紙スタッカーの側面との間に隠れてしまうためカードが取りにくくなってしまうという問題を解決し、原稿と排紙スタッカーが共通化した構成においても、排紙されたＩＤカード等のカード類が見やすく取り出しやすい装置を提供できる。
【符号の説明】
【００７３】
１  トレイ
２  ホッパー
２ａ  積載検知センサー
３  給紙押圧版
４  給紙ローラー
５  送りローラー
６  分離ローラー
７  搬送路
８  磁石
１１  重送検知センサー
１２  磁気ヘッド
１３  搬送ローラー対
１４  搬送ローラー
１５  エンドーサー
２８  カード待避口
１６  レジセンサ
１７  排紙ローラー対
１９  排紙ガイド
２０  シート押さえ
２１  排紙スタッカー
２１ａ  整列面
２３  カード挿入口
２４  カード検知センサー
２５  カード搬送ローラー
２６  カード搬送路
２７  搬送路合流口
３０  画像読取センサー
４０  コントローラーユニット
７０  排出検知センサー
【図１】
0006781570.tif 000002
【図２】
0006781570.tif 000003
【図３】
0006781570.tif 000004
【図４】
0006781570.tif 000005
【図５】
0006781570.tif 000006
【図６】
0006781570.tif 000007